(57)【要約】【課題】  一対の表裏面板のあいだにフレーム材とコア材を介して所定の板厚とした建物用ドアを、意匠性を高め、かつ、作業性よく組み立てられる構成とする。【解決手段】  表裏一対の面板７、６のうち、表面板７を、中央パネル８とその四周の側部パネル９、１０、１１、１２とで構成し、これらパネルの連結部、例えば左側部パネル９と中央パネル８との連結部は、左側部パネル９の縁部をドア厚方向に折曲して第一折曲片９ａに形成し、該第一折曲片９ａの先端に、溝奥よりも溝幅が狭い溝入口部９ｃを備えた連結溝９ｂを形成する一方、中央パネル８の縁部にドア厚方向に折曲して第二折曲片８ａを形成し、該第二折曲片８ａの先端に、前記連結溝９ｂの溝幅Ｈ１よりも幅広な幅寸法Ｈ２を有した嵌入部８ｂを形成し、前記嵌入部８ｂを連結溝９ｂの溝入口部９ｃから溝奥に押し込んで連結する構成とする。【選択図】        図２
2006177030.tif 000002
【特許請求の範囲】
【請求項１】
表裏一対の面板で構成される建物用ドアの少なくとも一方の面板を、複数の金属製の分割面板を連結して構成するにあたり、連結する一方の分割面板の縁部をドア厚方向に折曲し、該折曲した折曲片の先端に、溝奥よりも溝幅が狭い溝入口部を備えた連結溝を形成する一方、連結する他方の分割面板の縁部をドア厚方向に折曲し、該折曲した折曲片の先端に、前記溝入口部の溝幅よりも幅広な嵌入部を形成し、前記嵌入部を連結溝の溝入口部から溝奥に押し込むことで分割面板同士の連結をした建物用ドア。
【請求項２】
請求項１において、一方の分割面板の折曲片と他方の分割面板の折曲片とは、連結溝に嵌入部を押し込んだとき当接するように構成されている建物用ドア。
【請求項３】
請求項１または２において、嵌入部は、他方の分割面板の折曲片の先端を折り返して形成されている建物用ドア。
【請求項４】
請求項１乃至３の何れかにおいて、連結溝の溝入口部には、折曲片との対向間隔を次第に大きくするガイド片が形成されている建物用ドア。
【請求項５】
請求項１乃至４の何れかにおいて、嵌入部は、嵌入方向後側ほど幅狭とするガイド面が形成されている建物用ドア。
【請求項６】
請求項２乃至５の何れかにおいて、連結溝と嵌入部とは、第一、第二折曲片に沿ってドア厚方向に延出して形成されている建物用ドア。
【請求項７】
請求項２乃至５の何れかにおいて、連結溝と嵌入部とは、第一、第二折曲片に対して直交する方向に延出して形成されている建物用ドア。
【請求項８】
請求項１乃至７の何れかにおいて、溝入口部は、連結溝に嵌入した嵌入部のガイド面を弾圧状に挟持するように構成されている建物用ドア。
【請求項９】
請求項４乃至８の何れかにおいて、分割面板の四周のうち、少なくとも対向する一対の縁部が他の分割面板に連結する場合、前記対向する一対の縁部の一方には連結溝が形成され、他方には嵌入部が形成されている建物用ドア。
【発明の詳細な説明】
【技術分野】
【０００１】
本発明は、住宅やマンションの出入り口部等の建築物の開口部に設けられる建物用ドアの技術分野に属するものである。
【背景技術】
【０００２】
一般に、この種住宅やマンションの出入り口部等に設けられる建物用ドアのなかには、表裏一対の面板を、フレーム材とコア材とを内装する状態で一体化して構成したものがある。このような建物用ドアにおいて、近年意匠性の向上とともに、バリエーションの増加が望まれており、該要望を実現するための一つの手段として、一方の面板（表面板）を縦、横複数に分割した分割面板を適宜連結手段により連結する構成としたものが提唱される。
【０００３】
このように、建物用ドアを、分割された面板同士を連結して構成するものとしては、連結する一対の分割面板のうち、一方の分割面板の縁部に凹部（連結溝）を形成し、該凹部に、他方の分割面板に形成された折曲片（嵌入部）を嵌合（挿し込む）する構成としたものが提唱されている。
【特許文献１】特開平８−４４３５号公報
【発明の開示】
【発明が解決しようとする課題】
【０００４】
しかるに、前記従来のものにおいて、凹部は折曲部の板厚と略同様の一定の溝幅のものになっており、折曲部を凹部に挿し込んだ状態ではこれら面板同士が互いに係止（仮固定状態）されるものではなく、該仮組み込み状態において面板を移動させるような場合では、面板同士が上下方向に位置ズレしてしまったり、凹部内において折曲部が回転するようにして連結部を基準とする折れ曲がりが生じることが想定される。従って、ドアの製作の工程で、仮組み込み状態の面板を移動させるには細心の注意が必要となる等、作業性が劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、表裏一対の面板で構成される建物用ドアの少なくとも一方の面板を、複数の金属製の分割面板を連結して構成するにあたり、連結する一方の分割面板の縁部をドア厚方向に折曲し、該折曲した折曲片の先端に、溝奥よりも溝幅が狭い溝入口部を備えた連結溝を形成する一方、連結する他方の分割面板の縁部をドア厚方向に折曲し、該折曲した折曲片の先端に、前記溝入口部の溝幅よりも幅広な嵌入部を形成し、前記嵌入部を連結溝の溝入口部から溝奥に押し込むことで分割面板同士の連結をしたものである。
そして、このようにすることにより、分割面板同士の連結が容易であるばかりでなく、該連結を確実、かつ、堅固なものにできるうえ、作業性の向上が図れる。
請求項２の発明は、請求項１において、一方の分割面板の折曲片と他方の分割面板の折曲片とは、連結溝に嵌入部を押し込んだとき当接するように構成されているものであり、このようにすることにより、連結状態の分割面板同士の姿勢保持を一層図ることができる。
請求項３の発明は、請求項１または２において、嵌入部は、他方の分割面板の折曲片の先端を折り返して形成されているものであり、このようにすることにより、別部材が不要になって構造の簡略化を果せる。
請求項４の発明は、請求項１乃至３の何れかにおいて、連結溝の溝入口部には、折曲片との対向間隔を次第に大きくするガイド片が形成されているものであり、このようにすることにより、連結作業が容易になって、作業性の向上が果せる。
請求項５の発明は、請求項１乃至４の何れかにおいて、嵌入部は、嵌入方向後側ほど幅狭とするガイド面が形成されているものであり、このようにすることにより、連結作業が容易になって、作業性の向上が果せる。
請求項６の発明は、請求項２乃至５の何れかにおいて、連結溝と嵌入部とは、第一、第二折曲片に沿ってドア厚方向に延出して形成されているものであり、このようにすることにより、連結操作を容易に行うことができる。
請求項７の発明は、請求項２乃至５の何れかにおいて、連結溝と嵌入部とは、第一、第二折曲片に対して直交する方向に延出して形成されているものであり、このようにすることにより、確実、且つ、堅固な連結をすることができる。
請求項８の発明は、請求項１乃至７の何れかにおいて、溝入口部は、連結溝に嵌入した嵌入部のガイド面を弾圧状に挟持するように構成されているものであり、このようにすることにより、連結した状態を仮保持できてドア製作の過程での移動が容易となり、作業性の向上を図れる。
請求項９の発明は、請求項４乃至８の何れかにおいて、分割面板の四周のうち、少なくとも対向する一対の縁部が他の分割面板に連結する場合、前記対向する一対の縁部の一方には連結溝が形成され、他方には嵌入部が形成されているものであり、このようにすることにより、寸法誤差を連結溝のガイド片により吸収できて精度よく分割面板を形成することができる。
【発明の効果】
【０００６】
請求項１の発明とすることにより、分割面板同士の連結が容易となるばかりでなく、該連結を確実、且つ、堅固なものにできる、作業性の向上が図れる。
請求項２の発明とすることにより、連結状態の分割面板同士の姿勢保持を一層図ることができる。
請求項３の発明とすることにより、別部材が不要になって構造の簡略化が実現する。
請求項４の発明とすることにより、連結作業が容易になって、作業性が向上する。
請求項５の発明とすることにより、連結作業が容易になって、作業性が向上する。
請求項６の発明とすることにより、連結操作を容易に行える。
請求項７の発明とすることにより、確実、且つ、堅固な連結ができる。
請求項８の発明とすることにより、連結した状態を仮保持できてドア製作の過程での移動が容易となり、作業性が向上する。
請求項９の発明とすることにより、寸法誤差を連結溝のガイド片により吸収できて精度よく分割面板を形成することができる。
【発明を実施するための最良の形態】
【０００７】
つぎに、本発明の実施の形態について、図１〜８の図面に基づいて説明する。
図面において、１は住宅の玄関に設けられた建物用のドアであって、該ドア１は、躯体開口部に設けられた枠体２内を開閉するように構成されている。
つまり、ドア１は、左右方向一方の側部（右側部）であって、図１の正面図において図面向かって右側を吊り元側に設定し、該吊り元側部が、枠体２を構成する左右一対の左右枠材２ａ、２ｂ、上下一対の上下枠材２ｃ、２ｄのうち、右側枠材２ｂに、上下方向複数箇所に配設された丁番３により揺動自在に連結されている。
【０００８】
一方、ドア１は、裏表一対（屋内外一対）の面板６、７を用いて構成されており、屋内側面となる裏面板６は単一の金属製板材で形成されているが、屋外側面となる表面板７は、中央部の中央パネル８と、該中央パネル８の左右および上下に位置する各一対の側部パネル９、１０、１１、１２と（本発明の分割面板に相当する）により構成されており、これら各パネル８、９、１０、１１、１２の隣接する連結部に本発明が実施されている。
尚、前記裏表面板６、７間の戸尻側となる右縁部および上下縁部には、それぞれ一対の脚片１３ａとこれら脚片１３ａのあいだを連結する中間片１３ｂとを備えた断面コ字状のフレーム材１３が配設され、戸先側となる左縁部にも一対の脚片１４ａと中間片１４ｂとを備えたフレーム材１４が配されている。前記左縁部に配されるフレーム材１４は、一方の脚片１４ａである表面板７側の脚片１４ａが、枠材２ａに形成される戸当り部の対向部材となるよう左側に突出して形成されている。
また、１５は表裏面板６、７間に介装されるコア材である。
【０００９】
さて、前記ドア１は、金属製板材に折曲加工、そして、後述する連結加工を適宜施すことにより裏表面板６、７をそれぞれ形成し、これら裏表面板６、７間に、表面にホットメルトタイプの接着剤を塗布したフレーム材１３、１４とコア材１５とを組み込み、この状態としたものを、加熱、加圧処理して構成するように設定されている。
【００１０】
そして、表面板７を構成する各パネル８、９、１０、１１、１２の隣接するパネル同士、例えば、左側部パネル９と中央パネル８、中央パネル８と右側部パネル１０等、全ての隣接部位における連結は、一方のパネルの連結溝に他方のパネルの嵌入部を嵌入させることによる連結となっていて、各パネル８、９、１０、１１、１２を仮保持状に連結できるように設定されている。
尚、パネル８、９、１０、１１、１２同士の連結構造の基本的構成は何れの連結部位においても同様であり、ここでは、左側部パネル９と中央パネル８との連結部について、図４の図面に基づいて詳しく説明し、他の連結部位についての詳細は省略する。
【００１１】
前記中央パネル８に隣接する左側部パネル９（本発明の一方の分割面板に相当する）の右縁部には、ドア厚方向に折曲して左側部パネル９のパネル面（表面）に直交する第一折曲片９ａが形成されており、該第一折曲片９ａの先端側部位を外側に折り返して表面側に向けることで、表面側が開口するＵ字状の連結溝９ｂが形成されている。前記連結溝９ｂは、表面側に面する溝入口部９ｃが溝奥側よりも幅狭な溝幅Ｈ１となるよう、折り返し先端縁部Ｅを第一折曲片９ａ側に近接させる状態で折り返し形成されている。さらに、連結溝９ｂの折り返し先端縁部Ｅからは、表面側に向けて延出するガイド片９ｄが一体に折曲形成されており、該ガイド片９ｄは、表面側ほど第一折曲片９ａから離間するよう傾斜状に形成され、これによって、嵌入部８ｂを連結溝９ｂに押し込むとき、ガイド片９ｄが嵌入部８ｂを幅狭な溝入口部９ｃに向けて誘導するように設定されている。
【００１２】
一方、左側部パネル９に隣接する中央パネル８（本発明の他方の分割面板に相当する）の左縁部には、ドア厚内側に折曲して中央パネル８のパネル面に直交する第二折曲片８ａが形成されており、該第二折曲片８ａの先端側部位を中央パネル８の内側に折り返して表面側に向けることで、ドア厚内においてＵ字状に折り曲げられており、該折り返し部位が所定の幅寸法を有した嵌入部８ｂに形成されている。前記嵌入部８ｂは、本実施の形態では、板材を折り返すことで所定幅寸法を有するように構成されており、嵌入部８ｂの裏面側部位における幅寸法Ｈ２は、前記左側部パネル９の連結溝９ｂの溝幅Ｈ１よりも幅広（Ｈ１＜Ｈ２）となるように設定されている。
さらに、嵌入部８ｂを形成するべく折り返された折り返し先端縁部は、第二折曲片８ａに当接するように折り返されており、これによって、嵌入部８ｂには嵌入方向先側ほど幅寸法が大きく（嵌入方向後側ほど幅寸法が小さく）なるガイド面８ｃが形成されている。
また、左側部パネル９側の第一折曲片９ａの表裏方向長さは、中央パネル８側の第二折曲片８ａの表裏方向長さよりも長く設定されており、嵌入部８ｂの嵌入先端を連結溝９ｂの溝底に当接するまで押し込んで嵌入させたとき、左側部パネル９と中央パネル８とのパネル面が略面一となるように設定されていえる。
因みに、嵌入部８ｂの幅寸法の調整、および、連結溝９ｂの溝入口部９ｃの溝幅の調整は、板材を折り返すことにより形成されるＲ部の曲率を適宜調整することにより、所望の寸法に設定することができる。
【００１３】
そして、左側部パネル９と中央パネル８とは、第一折曲片部９ａに第二折曲片部８ａを沿わせ、中央パネル嵌入部８ｂを、左側部パネル９の第一折曲片９ａとガイド片９ｄとのあいだにあてがい、溝入口部９ｃの溝幅Ｈ１よりも幅寸法Ｈ２が大きい嵌入部８ｂを、溝入口部９ｃ（折り返し先端縁部Ｅ）を弾性変形させる状態で溝奥側に押し込むことにより、嵌入部８ｂが連結溝９ｂに嵌入して係止（嵌入係止）されるように設定されている。このとき、嵌入部８ｂにはガイド面８ｃが形成されていて表面側ほど幅寸法が小さくなっているので、嵌入部８ｂの幅寸法の広い（大きい）裏面側を溝入口部９ｃに押し込むことにより、嵌入部８ｂが自然に連結溝９ｂの溝奥側に誘導される状態となり、嵌入部８ｂの裏面側先端部を連結溝９ｂの溝底に当接するまで押し込んで嵌入することにより両者の連結がなされている。そして、このように、嵌入部８ｂを連結溝９ｂに嵌入した状態において、左側部パネル９と中央パネル８とのパネル面が略面一状となっている一方、溝入口部９ｃに対向している嵌入部８ｂの幅寸法Ｈ３は溝入口部９ｂの溝幅Ｈ１よりも大きく設定されていて、溝入口部９ｃが嵌入部８ｂを弾圧状に挟持するように設定され、これによって、連結溝９ｂによる嵌入部８ｂの嵌入係止が仮保持される構成となっている。
【００１４】
また、前記連結状態において、第一、第二折曲片９ａ、８ａ同士は、それぞれ全域にわたって当接しているとともに、溝入口部９ｃを構成する折り返し先端縁部Ｅは、第一折曲片９ａの表裏方向長さの中間位置に位置している。このため、第一、第二折曲片９ａ、８ａ同士の当接面は、嵌入部８ｂを挟持する溝入口部９ｃ（折り返し先端縁部Ｅ）を基準として表面側および裏面側との両者において形成されることになり、これによって、両パネル９、８は表面側部位における当接を維持した連結状態の保持が確実になるように設定されている。
さらに、前記連結状態において、溝入口部９ｃが嵌入部８ｂのガイド面８ｃに当接しているとともに、前述したように嵌入部８ｂ（中央パネル８）の幅寸法は連結溝９ｂの溝奥側部位ほど大きく（幅広）なっている。このため、嵌入部８ｂ（中央パネル８）が連結溝９ｂ（左側部パネル９）から抜け出そうとしても、嵌入部８ｂの幅寸法が次第に大きくなるため、溝入口部９ｃによる弾圧力が一層大きくなる状態で嵌入部８ｂの移動規制をし、もって中央パネル８の抜け止めをするように設定されている。さらには、溝入口部９ｃによる嵌入部８ｂの移動規制は、嵌入部８ｂの傾斜状のガイド面８ｃとの当接に基づくものであるため、嵌入部８ｂが表面方向に抜け出そうとする方向の力が作用したとき、ガイド面８ｃの傾斜によって中央パネル８を左側部パネル９側に押しやる方向の力となって作用することになり、第二折曲片８ａを第一折曲片９ａ側に押し付けるように設定されている。これによって、嵌入部８ｂに抜け出し方向の負荷が作用した場合に、中央パネル８は、溝入口部９ｃによる移動規制を一層大きく受けて確実な抜け止めがなされることになり、もって、左側部パネル９と中央パネル８とが互いに近接した状態での連結が保持されるように設定されている。
【００１５】
ここで、このものにおいて、中央パネル８は、左右および上下の四周に左右、上下の側部パネル９、１０、１１、１２が隣接しており、四周縁部全てが側部パネル９、１０、１１、１２と連結されることになる。このため、中央パネル８の四周縁部は全て連結溝か嵌入部の何れかが形成されることになり、本実施の形態では、左縁部は前述したように第二折曲片８ａの先端に嵌入部８ｂが形成され、右縁部は第一折曲片８ｄの先端部に連結溝８ｅが形成され、上縁部は第二折曲片８ａの先端に嵌入部８ｂが形成され、下縁部は第一折曲片８ｄの先端に連結溝８ｅが形成されている。このように、中央パネル８については、左右縁部と上下縁部において、それぞれ対向する縁部が異なる形状（連結溝か嵌入部）となるように形成されている。これによって、金属製板材を曲げ加工する際に、板材に生じる伸びによる寸法誤差を、連結溝９ｂの折り返し先端縁部Ｅから延出するガイド片９ｄにより吸収することができて、寸法精度のよいパネルとなるように配慮されている。
【００１６】
そして、中央パネル８の上縁部に形成した嵌入部８ｂを上側部パネル１１の下縁部に形成した第一折曲片１１ａの先端の連結溝１１ｂに嵌合係止せしめ、中央パネル８の下縁部に形成した連結溝８ｅに下側部パネル１２の上縁部に形成した第二折曲片１２ａの先端の嵌入部１２ｂを嵌合係止せしめることにより、中央パネル８に上下側部パネル１１、１２が一体化される。さらに、上下の側部パネル１１、１２の左縁部にそれぞれ形成した第二折曲片１１ｃ、１２ａの先端の嵌入部１１ｄ、１２ｂと、中央パネル８の左縁部の嵌入部８ｂとを、左側部パネル９の右縁部に形成した連結溝９ａにそれぞれ嵌入係止せしめ、上下の側部パネル１１、１２の右縁部にそれぞれ形成した第一折曲片１１ａ、１２ｃの先端の連結溝１１ｂ、１２ｄと、中央パネル８の右縁部の連結溝８ｅとに、右側部パネル１０の左縁部に形成した第二折曲片１０ａの先端の嵌入部１０ｂを嵌入係止せしめることにより、中央パネル８および上下の側部パネル１１、１２に、左右の側部パネル９、１０が一体化され、これによって、表面板７が形成されるように設定されている。
【００１７】
尚、上下のフレーム材１３に対しては、左側部パネル９と上側部パネル１１、上側部パネル１１と右側部パネル１０、左側部パネル９と下側部パネル１２、下側部パネル１２と右側部パネル１０との各連結部が対向する状態で組み込まれることになるが、これら各連結部位のうち、左側部パネル９と上側部パネル１１との連結部と上フレーム材１３との組み立て構造について、図５に基づいて説明する。
左側部パネル９の右縁部と上側部パネル１１の左縁部との連結部に対向する上フレーム材１３の表面側部位は、各側部パネル９、１１の隣接部に形成される板厚方向に突出する第一、第二折曲片９ａ、１１ｃおよび連結溝９ｂと嵌入部１１ｄとによる嵌入係止部を遊嵌するべく切り欠き部１３ｃが形成される一方、該切り欠き部１３ｃ近傍の中間片１３ｂに左右方向に長い長孔１３ｄが開設されている。尚、１１ｅは、嵌入部１１ｄに形成されるガイド面である。
一方、左側部パネル９と上側部パネル１１との上端部には、裏面側に向けて折り返された折り返し片９ｅ、１１ｆが形成されており、左側部パネル連結溝９ｂと上側部パネル嵌入部１１ｄとの嵌入係止部を切り欠き部１３ｃに遊嵌せしめるとともに、各折り返し片９ｅ、１１ｆを上フレーム材中間片１３ｂの上面に突き当てるようにして各パネル９、１１を組み込み、折り返し片９ｅ、１１ｆに開設された貫通孔９ｆ、１１ｇおよび上フレーム材中間片１３ｂの長孔１３ｄを貫通する図示しない止め具を止着することで、左側部パネル９と上側部パネル１１とが上フレーム材１３に一体化されるように設定されている。このとき、左側部パネル９と上側部パネル１１とに形成される連結溝９ｂと嵌入部１１ｄとは、それぞれ上端部位が切り欠かれており、連結作業がし易いように配慮されている。
尚、上下のフレーム１３と一対のパネル９と１１、１１と１０、９と１２、１２と１０の各連結部との一体化構造は、各箇所とも同様の構造となっており、前記パネル９と１０の説明をもって他の部位における説明は省略する。
【００１８】
一方、中央パネル８のコーナー部、例えば、中央パネル８の左上方のコーナー部では、中央パネル８と左側部パネル９との連結に連続する状態で左側部パネル９と上側部パネル１１とが連結されることになる。この部位における各パネルの組み込み状態（連結状態）について、図６の図面に基づいて説明する。
前記上側部パネル１１は、前述したように、左縁部には第二折曲片１１ｃの先端に嵌入部１１ｄが、下縁部には第一折曲片１１ａの先端に連結溝１１ｂがそれぞれ形成されている。また、中央パネル８の左縁部には第二折曲片８ａを介して嵌入部８ｂが、上縁部には第二折曲片８ａの先端に嵌入部８ｂがそれぞれ形成されている。そして、中央パネル８上縁部の嵌入部８ｂと、上側部パネル１１下縁部の連結溝１１ｂとの左端部位には、それぞれ切り欠き部８ｆ、１１ｈが形成されており、これらの嵌入連結部が、上側部パネル１１と中央パネル８との左縁部に形成される嵌入部１１ｄ、８ｂに干渉しないように構成されている。そして、上側部パネル１１と中央パネル８との左縁部に形成される嵌入部１１ｄ、８ｂを、左側部パネル９の連結溝９ｂに押し込むことになるが、上側部パネル１１と中央パネル８との連結部に対向する部位の連結溝９ｂには切り欠き９ｇが形成されており、上側部パネル１１と中央パネル８との連結部への干渉を回避するように構成されている。
因みに、中央パネル８と上側部パネル１１とに形成された切り欠き部８ｆ、１１ｈとは、第二、第一折曲片８ａ、１１ａのパネル面に至るまでを全て切り欠くのではなく、パネル面側の部位を少し残す状態で切り欠かれている。さらに、中央パネル８については、切り欠き部８ｆの左端面８ｇが左縁部に形成された第二折曲片８ａの外面と略面一状になるように形成され、上側部パネル１１については、切り欠き部１１ｈの左端面（図示せず）が左縁部に形成された第二折曲片１１ｃの外側面と略面一状になるように形成されている。これによって、中央パネル８と上側部パネル１１とを突き合せたとき、左縁部の第二折曲片８ａ、１１ｃ同士のあいだに切り欠き部８ｆ、１１ｈが挟まれるとともに、第二折曲片８ａ、１１ｃの外面と、前記切り欠き部８ｆの左端面８ｇそして切り欠き部１１ｇの左端面とが略面一状になるように形成されている。
尚、中央パネル８の他のコーナ部においても前記左上方のコーナー部と同様の構成で連結されており、ここでの詳細な説明は省略する。
【００１９】
叙述の如く構成された本形態において、ドア１を構成する表面板７は、複数の面板を用いた構成、即ち、中央パネル８の四周に左右、上下の側部パネル９、１０、１１、１２を配した構成となっているが、この場合に、隣接するパネル同士の連結、例えば左側部パネル９と中央パネル８との連結は、一方の分割面板である左側部パネル９の縁部に形成される第一折曲片９ａの先端に形成され、溝奥の溝幅よりも幅狭な溝幅Ｈ１を有した溝入口部９ｃを備えた連結溝９ｂに、他方の分割面板である中央パネル８の縁部に形成される第二折曲片８ｃに形成され、ドア厚内に位置して前記連結溝９ｂの溝入口部９ｃの溝幅Ｈ１よりも幅広な幅寸法Ｈ２を有した嵌入部８ｂを、溝入口部９ｃから溝奥側に押し込んで嵌入係止させる構成となっている。これによって、両パネル８、９の連結状態において、溝入口部９ｃの溝幅Ｈ１よりも幅広な幅寸法Ｈ２を有した嵌入部８ｂが連結溝９ｂ内に嵌入しており、溝入口部９ｃによって嵌入部８ｂが抜け出し方向の移動規制を受けることになって、隣接パネル（例えば９、８）同士の連結を保持することができる。
【００２０】
このように、本発明が実施されたものでは隣接パネル同士の連結が保持されるものであるが、このものにおいて、連結溝９ｂと嵌入部８ｂとは、それぞれドア厚方向を向く第一、第二折曲片９ａ、８ａの先端に形成されており、連結溝９ｂに嵌入部８ｂを嵌入係止させたとき、これら第一、第二折曲片９ａ、８ａが互いに当接するように構成されている。このため、パネル同士を連結したとき隣接パネル同士のドア厚方向における当接面積を大きく確保できて、ドア面に直交する方向の負荷に対してガタつきが低減された強固な連結とすることができ、分割面板同士を連結した状態で移動したとしても、連結状態の姿勢を維持（保持）できて、作業性の向上を図れる。
【００２１】
そのうえ、このものでは、嵌入部８ｂについても中央パネル８の縁部を折曲することにより形成されているので、別途部材が必要となることがない。
【００２２】
また、このものにおいて、連結溝９ｂを構成するべく折り返された溝入口部９ｃの先端縁にはガイド片９ｄが形成されていて、嵌入部８ｂを溝入口部９ｃ側に向けて誘導する構成となっているので、連結作業を円滑、かつ、作業性よく行うことができる。
【００２３】
さらに、嵌入部８ｂには傾斜状のガイド面８ｃが形成されているので、溝幅Ｈ１の溝入口部９ｃに、これよりも幅広の幅寸法Ｈ２を有した嵌入部８ｂを押し込む操作が円滑になって、さらなる作業性の向上が図れる。しかも、ガイド面８ｃが溝入口部９ｃにより弾圧状に挟持されることにより、第一、第二折曲片９ａ、８ａ同士を近接させる方向の力が作用しており、これらのあいだに雨水が浸入するのを防止できる。そのうえ、これらのあいだに雨水が浸入して、連結溝９ｂの溝奥側に誘導されたとして、溝入口部９ｃが嵌入部８ｂを弾圧状に挟持していることからコア材１５側に流れ出すことがなく、上下方向に連結溝９ｂが連通しているものでは雨水が下方に流れ落ち、これによって、雨仕舞いの良いドア１にすることができる。
【００２４】
そのうえ、本発明が実施されたものにあっては、第一、第二折曲片９ｂ、８ｂと同方向に延出する状態で連結溝９ｂと嵌入部８ｂとが形成されているので、左側部パネル９と中央パネル８を連結する場合では、中央パネル８の嵌入部８ｂを、左側部パネル９の第一折曲片９ａとガイド片９ｄとのあいだに対向せしめ、嵌入部８ｂを連結溝９ｂに嵌入させるべく中央パネル８を押し込むことで連結させることができ、簡単、かつ、容易に連結作業をすることができる。
【００２５】
しかも、このものでは、溝入口部９ｃの溝幅Ｈ１は、嵌入部８ｂの溝入口部９ｃに係止される部位の幅寸法Ｈ３よりも小さく設定されて、弾圧状に係止しているので、溝入口部９ｃによる嵌入部８ｂの係止が確実で、確りとした嵌入係止を実現でき、複数のパネルを連結した状態で移動させたとしても、パネルが抜け出してしまうことは勿論、パネル同士が位置ズレしたり、連結部を基準として折れ曲がってしまうようなこともなく、ドア製作の工程での移動を容易にすることができる。
【００２６】
さらには、中央パネル８は、四周に嵌入部８ｃまたは連結溝８ｄを形成することになるが、このものでは、上下および左右に対向する縁部同士に異なる連結用の片部（嵌入部と連結溝）を形成する構成としたので、中央パネル８を折曲形成する際に、板材の伸びにより生じる寸法誤差を、連結溝９ｂの折り返し先端縁部Ｅから延出するガイド片９ｄにより吸収できて、寸法精度のよい中央パネル８とすることができ、精度よくドア１を作成できる。
【００２７】
尚、本発明は前記実施の形態に限定されないことは勿論であって、図７（Ａ）、（Ｂ）、（Ｃ）に示す第二の実施の形態のものは、一方の面板１６の縁部を裏面側に折曲することで形成される第一折曲片１６ａの先端に連結溝１６ｂを形成する際に、該連結溝１６ｂは、第一折曲片１６ａに直交する方向を向いて形成されている。これに対し、他方の面板１７の縁部を裏面側に折曲することで形成される第二折曲片１７ａの先端に嵌入部１７ｂを形成する際に、該嵌入部１７ｂは、第二折曲片１７ａに直交する方向を向いて形成されている。そして、これら面板１６、１７同士は、嵌入部１７ｂを表裏面に沿う方向に押し込むことで、連結溝１６ｂに嵌入係止される構成となっている。尚、このものにおいて、溝入口部１６ｃが嵌入部１７ｂを弾圧状に挟持していることは前記第一の実施の形態と同様であり、このようにすることにより、確実、かつ、堅固な連結がなされ、面板１６、１７同士を連結させた状態で移動させても、位置ズレ等の惧れがないようにできる。そのうえ、このように構成した場合、連結溝１６ｂと嵌入部１７ｂとが表裏面に沿う方向に形成されるので、本発明をドア厚の薄いドアに適用する場合に、連結溝１６ｂと嵌入部１７ｂとによる嵌入深さを別段短くすることなく対応でき、連結強度を低下させることがないという利点がある。
【００２８】
さらに、図８（Ａ）、（Ｂ）、（Ｃ）に示す第三の実施の形態のものは、一方の面板２０には、縁部を折り返し折曲して形成された第一折曲片２０ａを折返して角形状の連結溝２０ｂが形成され、連結溝２０ｂの折り返し端部に、溝奥側に折り返された係止片２０ｃが形成ている。他方の面板２１には、縁部を折曲した第二折曲片２１ａの先端に板厚二枚分に相当する嵌入部２１ｂが形成されている。さらに、前記連結溝２０ｂの溝入口部２０ｄの溝幅は嵌入部２１ｂの幅寸法よりも短く設定されており、嵌入部２１ｂを連結溝２０ｂに嵌入したとき、嵌入部２１ｂが溝入口部２０ｄに弾圧状に挟持されるとともに、連結溝２０ｂの溝内に形成された係止片２０ｃに対して、嵌入部２１ｂを形成するために折り返した折り返し端部２１ｃが溝奥側から面板側に向けて係止し、これによって、嵌入部２１ｂの抜け出し方向の移動を規制するように設定されている。そして、このようにすることにより、面板２０、２１同士の連結が一層確実、かつ、堅固となって、面板２０、２１を連結させた状態で移動させても、位置ズレ等の惧れがないようにできる。
また、図８（Ｄ）、（Ｅ）、（Ｆ）に示す第四の実施の形態のものは、一方の面板２２の第一折曲片２２ａの先端に連結溝２２ｂ、該連結溝２２ｂの折り返し端部に形成される係止片２２ｃが形成され、他方の面板２３の第二折曲片２３ａの先端に嵌入部２３ｂが形成され、連結溝２２ｂの溝入口部２２ｄの溝幅が嵌入部２３ｂの幅寸法よりも小さく設定されていることは、前記第四の実施の形態の面のと同様の構成となっている。そして、本実施の形態のものでは、連結溝２２ｂと嵌入部２３ｂとは、板厚方向を向く第一、第二折曲片２２ａ、２３ａに直交する方向に延出しており、これによって、面板２２、２３同士の連結方向が面板に沿って行われるように設定されている。そして、このようにすることにより、面板２２、２３同士の連結が一層確実、かつ、堅固となって、面板２２、２３を連結させた状態で移動させても、位置ズレ等の惧れがないようにできる。
【００２９】
また、図９に示す第五の実施の形態のように構成することもできる。
このものは、表面板を、第一の実施の形態と同様に中央パネル２４の左右、上下に側部パネル２５、２６、２７、２８を連結した構成となっているが、中央パネル２４のパネル面が、四周の側部パネル２５、２６、２７、２８のパネル面よりも裏面側に退避した位置関係となるように構成されている。このため、中央パネル２４の左右、上下の縁部に形成される連結溝２４ａまたは嵌入部２４ｂに至る折曲片２４ｃの長さが、側部パネル２５、２６、２７、２８に形成される連結溝２５ａ、嵌入部２６ａ、連結溝２７ａ、嵌入部２８ａに至る折曲片２５ｂ、２６ｂ、２７ｂ、２８ｂの長さよりも短く設定され、該短くした長さに相当する段差が中央パネル２４のパネル面と側部パネル２５、２６、２７、２８のパネル面とのあいだに形成されるように設定されている。
そして、このものでも前記各実施の形態と同様に、パネル２４、２５、２６、２７、２８同士の連結が確実、かつ、堅固なものにできるばかりでなく、ドア１の面に段差をつけるのが容易になって、意匠性の優れたドアを容易に提供することができる。さらには、これらパネル２４、２５、２６、２７、２８の各連結部において、短い寸法の折曲片は長い寸法の折曲片に対して全域において当接する構成であるので、これらを連結させた状態で移動させても、位置ズレ等の惧れがなく、連結した状態を安定して仮保持することができる。
【００３０】
つぎに、図１０に示す第六の実施の形態を説明する。このものは、一方の面板２９に、所定の角度を存して折り返し折曲した傾斜片２９ａの先端に、パネル面に対して９０度の角度を存した第一折曲片２９ｂを形成し、該第一折曲片２９ｂの先端を折り返して連結溝２９ｃが形成されている。また、他方の面板３０は、前記傾斜片２９ａと平行な関係となる傾斜片３０ａの先端に、パネル面と平行となる中間片３０ｂ、該中間片３０ｂの先端に、パネル面に対して９０度の角度を存した第二折曲片３０ｃが形成され、該第二折曲片３０ｃの先端を折り返して嵌入部３０ｄが形成されている。そして、一方の面板２９の連結溝２９ｃに他方の面板３０の嵌入部３０ｄを嵌入係止したとき、面板２９、３０同士の連結部に、傾斜片２９ａ、３０ａ、そして中間片３０ｂとにより形成される凹溝部が形成されるように設定されている。そして、このようにすることにより、面板２９、３０同士の連結が確実、かつ、堅固になされるばかりでなく、優れた意匠のドアにすることができ、しかも、面板２９、３０を連結させた状態で移動させても、位置ズレ等による不具合を防止できるようにできる。
【００３１】
尚、本発明が実施された連結構成を用いて形成した建物用ドアのパターン図を、図１１（Ａ）〜（Ｈ）に示す。前記連結構成を用いることにより、図１１（Ａ）、（Ｄ）、（Ｆ）、（Ｈ）に示すように四角形状の面板同士を連結したも、図１１（Ｂ）、（Ｃ）、（Ｅ）に示すように面板の傾斜部同士を連結したもの、図１１（Ｇ）に示すように面板の湾曲部同士を連結したもの等、種々の意匠のものを形成することができる。
さらには、前記第六の実施の形態のような連結構成を用いることにより、図１１（Ａ）〜（Ｈ）のドアの表面に段差を形成することもでき、このように、本発明の連結構成を用いることにより、連結状態が堅固でかつ水仕舞いがよく、しかも、多様化した意匠の建物用ドアを容易に提供することができる。
【図面の簡単な説明】
【００３２】
【図１】建物用ドアの正面図である。
【図２】図１の横断面図である。
【図３】図１の縦断面図である。
【図４】図４（Ａ）、（Ｂ）、（Ｃ）、（Ｄ）はそれぞれ左側部パネルの側面図、中央パネルの側面図、両者連結状態の側面図、同斜視図である。
【図５】ドアの上部におけるフレーム材とパネルとの連結構造を説明する斜視図である。
【図６】図６（Ａ）、（Ｂ）はそれぞれ三枚のパネルの連結構造を説明する斜視図、中央パネルの斜視図である。
【図７】図７（Ａ）、（Ｂ）、（Ｃ）はそれぞれ第二の実施の形態における一方の面板の側面図、他方の面板の側面図、両者の連結状態の側面図である。
【図８】図８（Ａ）、（Ｂ）、（Ｃ）はそれぞれ第三の実施の形態における一方の面板の側面図、他方の面板の側面図、両者の連結状態の側面図であり、図８（Ｄ）、（Ｅ）、（Ｆ）は第四の実施の形態における一方の面板の側面図、他方の面板の側面図、両者の連結状態の側面図である。
【図９】図９（Ａ）、（Ｂ）はそれぞれ第五の実施の形態における建物用ドアの縦断面図、横断面図である。
【図１０】第六の実施の形態における面板の連結状態の側面図である。
【符号の説明】
【００３３】
１    ドア
２    枠体
６    裏面板
７    表面板
８    中央パネル
８ａ    第二折曲片
８ｂ    嵌入部
９    左側部パネル
９ａ    第一折曲片
９ｂ    連結溝
１３    フレーム材
１５    コア材
【図１】
2006177030.tif 000003
【図２】
2006177030.tif 000004
【図３】
2006177030.tif 000005
【図４】
2006177030.tif 000006
【図５】
2006177030.tif 000007
【図６】
2006177030.tif 000008
【図７】
2006177030.tif 000009
【図８】
2006177030.tif 000010
【図９】
2006177030.tif 000011
【図１０】
2006177030.tif 000012